(57)【要約】本発明は、下記特徴を備えた、体外ＨＩＦＵ治療用装置と共に使用するためのシートフレームを提供する。前記ＨＩＦＵ治療用装置は、ＨＩＦＵを供給するためのＨＩＦＵ源と；患者を搬送するための搬送装置と；患者のための前記搬送装置をＨＩＦＵ源に対して空間的に移動させるための移動システムと；前記ＨＩＦＵ源の放射面の前方に伝動媒体を収容するための収容手段と；を備える。伝動媒体のための前記収容手段は、オープンタイプの水タンクであり；前記シートフレームは、前記オープンタイプの水タンク内に浸漬させることができるクッションを備え；前記クッションの中央に、パワー超音波が通過することができる仕掛けが設けられており；前記シートフレームは、前記クッションを患者のための前記搬送装置の上に支持するためのクッション支持装置を更に備える。
2005507748.tif 000002
【特許請求の範囲】
【請求項１】
下記特徴を備えた、体外ＨＩＦＵ治療用装置と共に使用するためのシートフレーム：
前記ＨＩＦＵ治療用装置は、
ＨＩＦＵを供給するためのＨＩＦＵ源と；
患者を搬送するための搬送装置と；
患者のための前記搬送装置をＨＩＦＵ源に対して空間的に移動させるための移動システムと；
前記ＨＩＦＵ源の放射面の前方に伝動媒体を収容するための収容手段と；を備え、
伝動媒体のための前記収容手段は、オープンタイプの水タンクであり、
前記シートフレームは、前記オープンタイプの水タンク内に浸漬させることができるクッション（３）を備え、
前記クッション（３）の中央に、パワー超音波が通過することができる仕掛けが設けられており、
前記シートフレームは、前記クッション（３）を患者のための前記搬送装置の上に支持するためのクッション支持装置（１８）を更に備えている。
【請求項２】
下記特徴を備えた、請求項１に記載の体外ＨＩＦＵ治療用装置と共に使用するためのシートフレーム：
前記パワー超音波が通過することができる仕掛けは、中心穴（４）である
【請求項３】
下記特徴を備えた、請求項１に記載の体外ＨＩＦＵ治療用装置と共に使用するためのシートフレーム：
前記パワー超音波が通過することができる仕掛けは、ラテックス膜である。
【請求項４】
下記特徴を備えた、請求項１に記載の体外ＨＩＦＵ治療用装置と共に使用するためのシートフレーム：
前記クッション（３）は、柔軟な弾性材料で作られている。
【請求項５】
下記特徴を備えた、請求項４に記載の体外ＨＩＦＵ治療用装置と共に使用するためのシートフレーム：
前記クッション（３）は、発泡プラスチックで作られている。
【請求項６】
下記特徴を備えた、請求項１〜５のいずれか１項に記載の体外ＨＩＦＵ治療用装置と共に使用するためのシートフレーム：
前記クッション支持装置（１８）は、フレーム（１０）を備え、
前記クッション（３）は、硬質材料で作られたベースプレート（１２）上に配置され、
前記ベースプレート（１２）の形状は、前記クッション（３）の形状に対応しており、
前記クッションの前記仕掛けに対応するように、超音波が通過することができる穴（１３）が前記クッションベースプレート（１２）に形成されており、
前記クッション支持装置（１８）は、前記クッション（３）の両側にそれぞれ設けられた支持プレート（１１）を更に備え、
前記支持プレート（１１）は、その一端がクッションベースプレート（１２）に接続され、他端が前記フレーム（１０）に接続され、それによって、前記ベースプレート（１２）が前記クッション（３）を前記クッション支持装置（１８）の上に支持することができるようになっている。
【請求項７】
下記特徴を備えた、請求項６に記載の体外ＨＩＦＵ治療用装置と共に使用するためのシートフレーム：
前記支持プレート（１１）の一端は、締結具によって前記ベースプレート（１２）に接続され、
前記支持プレート（１１）の他端は、締結具によって前記フレーム（１０）に接続されている。
【請求項８】
下記特徴を備えた、請求項６に記載の体外ＨＩＦＵ治療用装置と共に使用するためのシートフレーム：
前記クッション支持装置（１８）は、前記シートフレームの装置全体を支持するためのベース（９）を備え、
前記フレーム（１０）は、前記ベース（９）に固定的に取り付けられている。
【請求項９】
下記特徴を備えた、請求項８に記載の体外ＨＩＦＵ治療用装置と共に使用するためのシートフレーム：
前記ベース（９）は、硬質の環状リングである。
【請求項１０】
下記特徴を備えた、請求項６に記載の体外ＨＩＦＵ治療用装置と共に使用するためのシートフレーム：
前記クッション支持装置（１８）は、前記フレーム（１０）に接続された背もたれ（１）及び肘掛（２）を備える。
【発明の詳細な説明】
【技術分野】
【０００１】
本発明は、医療用装置と共に使用するための手段に係り、特に、骨盤腔のような身体部分における病理組織を治療するため、下方配置された超音波源の高密度集束超音波（ＨＩＦＵ）治療装置に取り付られるシートフレームに関する。
【背景技術】
【０００２】
現在のところ、既存の体外ＨＩＦＵ治療用装置（Extracorporeal High Intensity Focus Ultrasonic Wave Therapeutic Apparatus）は、以下の手段を備えている：ＨＩＦＵを供給するためのＨＩＦＵ源及びその駆動回路；被治療対象を探し、これを超音波変換器の焦点へ移動させるための位置決めシステム、当該システムは、医療用画像システム（例えば、Ｂモードの超ソノスコープ）を備える；例えばベッド表面のような、患者を搬送するための搬送装置；搬送装置を超音波源に対して空間的に移動させるための移動システム；高強度超音波（ＨＩＵ）トランスミッタ；及び、伝動媒体用の処理システム。
【０００３】
ＨＩＦＵに適合させた超音波を、特別な伝動媒体（例えば脱気水）を介して患者の身体内に伝播しなければならないので、ＨＩＦＵ源の放射面の前方に配置された伝動媒体を収容するための収容手段（例えば水タンク等）と、伝動媒体を充填、放出及び処理するための手段と、が必要である。
【０００４】
治療用の高強度超音波（ＨＩＵ）は、骨、空気等の物体を通過することができない。既存の体外ＨＩＦＵ治療用装置は全て、ベッド表面を患者の搬送装置として使用し、治療中に患者は回内姿勢（pronation pose）を取る。しかしながら、直腸、前立腺、子宮頸部等における病理組織の上に位置している骨盤腔の影響により、患者の前部または後部から被治療対象にＨＩＵを到達させることが困難であるため、上記部位の病理組織の治療を行うことができない。
【発明の開示】
【発明が解決しようとする課題】
【０００５】
本発明の目的は、上述の欠点を克服することにあり、体外ＨＩＦＵ治療用装置と共に使用するためのシートフレームを提供することにある。この装置によれば、治療時に患者が座った姿勢を取ることができるので、ＨＩＦＵの治療範囲を拡大することができる。
【課題を解決するための手段】
【０００６】
上述の目的を達成するため、本発明は、体外ＨＩＦＵ治療用装置と共に使用するためのシートフレームを提供する。このＨＩＦＵ治療用装置は、ＨＩＦＵを供給するためのＨＩＦＵ源と；患者を搬送するための搬送装置と；搬送装置をＨＩＦＵ源に対して空間的に移動させるための移動システムと；を備える。伝動媒体を収容するための収容手段が、ＨＩＦＵ源の放射面の前方に設けられている。伝動媒体のための前記収容手段は、オープンタイプの水タンクであり、前記シートフレームは、前記オープンタイプの水タンク内に浸漬させることができるクッションを備えている。前記クッションの中心には、パワー超音波が通過することができる仕掛けが設けられている。また、前記シートフレームは、前記クッションを前記搬送装置の上に支持するためのクッション支持装置を更に備える。
【０００７】
本発明のシートフレームは、更に、次の特徴を備えている：
パワー超音波が通過することができる前記仕掛けは、中心穴またはラテックス膜であり、前記クッションはより柔軟で弾性の材料、例えば発泡プラスチックで作られている。
【０００８】
前記クッション支持装置はフレームを備える。前記クッションは硬質材料から成るベースプレートの上に配置され、このベースプレートの形状は前記クッションの形状に対応している。このベースプレートには、前記クッションの仕掛けに対応するように、超音波が通過することができる穴が設けられている。前記クッション支持装置は、前記クッションの両側にそれぞれ設けられた支持プレートを更に備えている。この支持プレートは、その一端がクッションのための前記ベースプレートに接続され、他端が前記フレームに接続されている。それによって、クッション支持装置が前記クッションを支持することができるようになっている。前記支持プレートの一端は、締結具によって前記ベースプレートに接続され、他端もまた、締結具によって前記フレームに接続される。
【０００９】
更に、前記クッション支持装置は、前記フレームに接続された背もたれ及び肘掛を備えている。
【００１０】
使用時には、前記シートフレームは、下方配置されたＨＩＦＵ源の上の、前記オープンタイプの水タンクの上に取り付けられる。前記水タンクが脱気した水で満たされたとき、水位が前記シートフレームのクッションを超え、前記クッションが水中に浸漬される。治療時に、患者がシートフレーム上に座ると、会陰部の皮膚が脱気水と十分に接触する。超音波が、超音波が通過可能な前記装置を通過し、更に会陰部を通過した後に、身体内に侵入し、直腸、前立腺、子宮頸部等の部位に到達することで、骨盤腔のような身体部の病理組織の外的治療が可能となる。
【００１１】
以上のように、このＨＩＦＵ治療用装置によって、患者は、その場での（in situ）、直腸癌、直腸癌のマイルス部分的再発、前立腺癌、子宮頚管癌、膣癌、及び前立腺肥大等を治療するために、座った姿勢で治療を受けることが可能になり、ＨＩＦＵの治療範囲が拡大される。
【発明を実施するための最良の形態】
【００１２】
次に、添付の図面を参照しながら、好ましい実施形態を用いて、本発明を詳細に説明する。
【００１３】
図１に、体外ＨＩＦＵ治療用装置と共に使用するためのシートフレーム８を示す。ＨＩＦＵ治療用装置は、ＨＩＦＵを供給するためのＨＩＦＵ源６と；患者を搬送するための搬送装置７と；搬送装置７をＨＩＦＵ源６に対して空間的に移動させるための移動システム（図示せず）と；ＨＩＦＵ源６の放射面の前方に伝動媒体を収容するための収容手段（この実施形態では、伝動媒体用の前記収容手段はオープンタイプの水タンク５である）と、を備えている。前記シートフレームは、クッション３を備え、このクッション３は前記オープンタイプの水タンク５内に浸漬させることができる、前記クッション３の中央には、パワー超音波が通過することができる仕掛けが設けられており、前記シートフレームは、前記クッション３を前記搬送装置７上に支持するためのクッション支持装置１８を更に備えている。
【００１４】
この実施形態では、パワー超音波が通過する前記仕掛けは、中心穴４であるが、その代りに、パワー超音波が通過することができるラテックス膜のような装置であってもよい。
【００１５】
前記クッション３は、より柔軟で弾性の材料、例えばプラスチックで構成されている。
【００１６】
図１〜４に示すように、前記クッション支持装置１８はフレーム１０を備え、前記クッション３は、硬質材料から成るベースプレート１２の上に配置されている。前記ベースプレート１２の形状は、前記クッション３の形状に対応しており、前記クッション３の装置に対応するように、超音波が通過することができる穴１３（この実施形態では、このような装置は中心穴４である）が前記ベースプレート１２に形成されている。前記クッション支持装置１８は、前記クッション３の両側にそれぞれ設けられた支持プレート１１を更に備える。
【００１７】
前記支持プレート１１は、その一端がクッションのベースプレート１２に接続され、他端が前記フレーム１０に接続されている、それによって、ベースプレート１２が、前記クッション支持装置１８上に前記クッションを支持することができる。
【００１８】
前記支持プレート１１の一端は、締結具または溶接によって前記ベースプレート１２に接続されている。あるいは、支持プレート１１がベースプレートと一体に形成される。支持プレート１１の他端も、やはり、締結具または溶接によって前記フレーム１０と接続されている。
【００１９】
更に、前記クッション支持装置１８は、シートフレームの装置全体を支持するためのベース９を備えている。前記フレーム１０は、前記ベース９に固定的に取り付けられており、ここで、ベース９は環状リング形状をしている。
【００２０】
これに加えて、前記クッション支持装置１８は、前記フレーム１０に接続された背もたれ１及び肘掛２を備えている。
【００２１】
前記シートフレーム８と患者の前記搬送装置７は、一組の移動システムを共用している。
【００２２】
使用時には、前記シートフレーム８は、下方配置されたＨＩＦＵ源６の上の、前記オープンタイプの水タンク５の上に取り付けられる、前記シートフレーム８の前記クッション支持装置１８は、患者のための前記搬送装置７の上に配置され、前記クッション３は、患者のための前記搬送装置７上に支持される。これによって、前記シートフレーム８と患者のための前記搬送装置７とが一セットの移動システムを共用し、この移動システムによって、前記シートフレームを超音波源６に対して移動させることができるようになる。これによって、シートフレームを、図３に示すように、望ましい治療位置に調整することが可能になる。
【００２３】
前記水タンク５が脱気した水で満たされた時、水位が前記シートフレーム８の前記クッション３を超え、つまり、前記クッション３がオープンタイプの水タンク５内に浸漬される。治療時に患者がクッション３上に座り、外陰部皮膚を脱気水と十分に接触させると、超音波が前記クッション３の前記中心穴４と会陰部を通過し、身体内へ侵入することによって、直腸、前立腺、子宮頚部等のような部位に到達することができる。これにより、骨盤腔のような身体部位の病理組織をＨＩＦＵで治療することが可能になる。
【００２４】
以上のように、ＨＩＦＵ治療装置によって、患者が座った姿勢で治療を受けることが可能になり、その場で（in situ）、直腸癌、直腸癌のマイルス部分再発、前立腺癌、子宮頸部癌、膣癌、及び前立腺肥大等の治療を行うことが可能となるので、ＨＩＦＵの治療範囲が拡大される。
【００２５】
図３に、ＨＩＦＵ治療装置上に取リ付けられたシートフレーム８を示す。
【００２６】
詳細には、ベッド表面、上方配置超音波源及び下方配置超音波源を使用するＨＩＦＵ治療装置のベースに、患者のための搬送装置を着脱可能に取り付けることができる。
【００２７】
患者が座った姿勢で治療を受けることが必要である場合には、搬送装置の中央部分を取り外して、下方配置超音波源６の水タンク５を露出させ、本発明のシートフレーム８を取り付ける。シートフレーム８と前記患者のための前記搬送装置７が一組の移動システムを共有しているので、２つの異なる治療ポーズを取ることが可能で、非常に便利である。
【００２８】
更に、下方配置超音波源６及びオープンタイプの水タンク５を備えたＨＩＦＵ治療用装置で、患者を座った姿勢で治療する必要がある場合には、シートフレームを患者搬送装置７の上に配置し、クッション３を水タンク５内に配置する。
【００２９】
要するに、シートフレームを使用することによって、ＨＩＦＵ治療用装置が、その場で（in situ）、直腸癌、直腸癌のマイルス部分再発、前立腺癌、子宮頸部癌、膣癌、前立腺肥大等の治療を行うことが可能になるので、ＨＩＦＵの治療範囲が拡大される。本発明を使用することで、患者は座った姿勢のまま治療を受けることが可能になり、ＨＩＦＵの治療範囲が拡大される。
【図面の簡単な説明】
【００３０】
【図１】本発明によるシートフレームの一実施形態の斜視図である。
【図２】本発明によるシートフレームの一実施形態を異なる方向から見た斜視図である。
【図３】ＨＩＦＵ治療用装置の上に配置した状態にある、図１に示したシートフレームの実施形態の概略図である。
【図４】図１に示したシートフレームの実施形態の部分断面図である。
【図１】
2005507748.tif 000003
【図２】
2005507748.tif 000004
【図３】
2005507748.tif 000005
【図４】
2005507748.tif 000006
【国際公開パンフレット】
2005507748.tif 000007
2005507748.tif 000008
2005507748.tif 000009
2005507748.tif 000010
2005507748.tif 000011
2005507748.tif 000012
2005507748.tif 000013
2005507748.tif 000014
2005507748.tif 000015
2005507748.tif 000016
2005507748.tif 000017
2005507748.tif 000018
2005507748.tif 000019
【国際調査報告】
2005507748.tif 000020
2005507748.tif 000021
2005507748.tif 000022
2005507748.tif 000023